(57)【特許請求の範囲】
【請求項１】
電化製品の動力源となる主電源回路および副電源回路を並列に備え、メインスイッチにより制御される商用電源から主電源回路および副電源回路への電力供給により、所定の値の電力を電化製品に供給するとともに、一定期間の経過を含む所定の条件により省電力モードに切り換わり主電源回路からの電力の供給を抑制または停止する電源装置において、
前記省電力モードに切り換わる際に前記主電源回路の発振停止に伴って自動的に商用電源から該主電源回路への電力の供給を断つように構成された、メインスイッチ以外の電力供給切換手段を備え、
前記電力供給切換手段は、商用電源および前記主電源の間を短絡または開放するＡＣ遮断回路と、該主電源回路の発振を停止させる発振停止回路と、発振停止回路を制御する制御回路と、前記副電源回路から電力を供給され該ＡＣ遮断回路の動作を制御するとともに前記制御回路に所定の信号を伝達する復帰／遮断回路と、を備えており、該ＡＣ遮断回路は、該復帰／遮断回路によって短絡または開放されるリレー接点と、該主電源回路の発振周波数の増加に伴って動作するトライアックと、を並列に配置したことを特徴とする電源装置。
【請求項２】
前記リレー接点と直列に所定の抵抗値の制限抵抗手段を配置したことを特徴とする請求項１に記載の電源装置。
【請求項３】
前記制限抵抗手段は、所定の抵抗値の抵抗体と、該抵抗体の温度を感知する温度ヒューズと、を備えたことを特徴とする請求項２に記載の電源装置。
【請求項４】
起動時から所定期間のみ前記リレー接点が短絡されるとともに、該所定期間経過後は、該リレー接点が開放され前記トライアックにより商用電源と主電源回路とが接続されることを特徴とする請求項１〜３のいずれか１項に記載の電源装置。
【請求項５】
前記ＡＣ遮断回路は、発振停止回路により主電源回路の発振を停止させた後に、商用電源から該主電源回路への電力の供給を断つことを特徴とする請求項１〜４のいずれか１項に記載の電源装置。
【請求項６】
前記ＡＣ遮断回路のトライアックの制御端子は、主電源回路に含まれる電源トランスに巻線された第１のコイル部と磁気結合されている第２のコイル部に接続されることを特徴とする請求項１〜５のいずれか１項に記載の電源装置。
【請求項７】
前記ＡＣ遮断回路は、主電源回路の発振ノイズの商用電源への伝達を防止する主フィルタ回路と商用電源との間に位置することを特徴とする請求項１〜６のいずれか１項に記載の電源装置。
【請求項８】
前記制御回路は、主電源回路の発振の停止に関するすべての信号について、その出力のタイミングを決定することを特徴とする請求項１〜７のいずれか１項に記載の電源装置。
【発明の詳細な説明】
【０００１】
【発明の属する技術分野】
この発明は、画像形成装置等の電化製品に所定の電力を供給する電源装置に関する。
【０００２】
【従来の技術】
従来、エネルギ不足という問題を抱えていることに起因して、様々な分野で省電力化が求められているため、例えば、電化製品のなかには、いわゆる待機状態において、本来備えている機能の一部を使用しないことにより省電力を図る省電力モードという動作モードを備えたものがあった。
【０００３】
ところが、電化製品のなかには、常に外部からの入力に対して適切な応答をする必要があるものがあり、プリンタやＦＡＸ等では、省電力モードにおいても外部から入力される印刷すべき画像データ等を自動的に受信するとともに、入力された画像データに基づいて印刷動作等を行わなくてはならない。
【０００４】
また、インクジェットプリンタのように、システムを停止する際には、インクヘッドのノズルからインクが乾燥することを防止するために、キャピング動作等の後処理を行う必要がある。
【０００５】
そこで、従来の電化製品の開発においては、省電力モードで動作している際に装置の外部からの所定の入力があった場合でも、該所定の入力に適切に対応できるようにする様々な回路構成が検討されていた。
【０００６】
図１（ａ）は、例えばプリンタやＦＡＸのように、省電力モードにおいて外部から入力される印刷すべき画像データを自動的に受信し、印刷を開始することが必要な装置に適用される電源装置の構成を示している。
【０００７】
同図に示す電源装置１００ａは、主に制御系の電圧を作るトランスＴ２と、駆動系の電圧を作るトランスＴ１の２コンバータで構成され、制御系および駆動系のそれぞれに電源制御ＩＣ１０３およびスイッチングＦＥＴ１０５を備えている。さらに、制御系にはマイコン１０１が設けられており、電源トランスＴ２に接続されている。
【０００８】
そして、オペレータが一定期間以上操作を行わない場合、または、一定期間以上印刷データを受信しない場合に、マイコン１０１は、発振停止信号出力部１０１ａから、発振を停止すべき旨の信号を出力する。これにより、トランジスタ１０６がオフになるため、フォトカプラＰＤ１のダイオード電流が遮断される。この結果、駆動系トランスＴ１の電源制御ＩＣ１０３の電源発振停止端子１０３ａに発振を停止すべき旨の信号が伝わり、駆動系の動作とともにモータ／ソレノイド／クラッチ１０２への電力の供給が停止される。これにより、省電力モード中には稼働していないモータ／ソレノイド／クラッチ１０２において通常消費されている電力が節約される。
【０００９】
なお、待機時にマイコン１０１が外部から印刷すべき画像データを受信したときには、発振を停止すべき旨の信号の出力を解除し、駆動用トランスＴ１の発振が再開されるため、モータ／ソレノイド／クラッチ１０２に電力が供給され、印刷動作に移行する。
【００１０】
図１（ｂ）は、インクジェットプリンタ等にみられるような、システムを停止する際に、インクヘッドのキャッピング動作等の後処理を行う装置に利用される電源装置１００ｂの構成を示している。電源装置１００ｂは、ユーザが不用意に電源を落とさぬように、電源の１次側に電源スイッチは設けず、電源の２次側に電源スイッチとしての２次スイッチ１０４を設けている。
【００１１】
電源がオンされている状態で、ユーザが２次スイッチ１０４を押し、システムを停止させると、その信号をマイコン１０１が受け取り、省電力モード信号出力部１０１ｂから省電力モード信号を出力する。この省電力モード信号は、フォトカプラＰＤ１を介して電源制御ＩＣ１０３に伝達する。このとき、電源制御ＩＣ１０３は、発振周波数を変調しマイコン１０１に電力を供給する制御系の電圧が維持できるだけの電力に搾り込み、省電力モード時の電力消費の効率が向上する。
【００１２】
このように、上述の電源装置１００ａおよび電源装置１００ｂ等の従来の電源装置によれば、省電力モードにおいても外部からの入力に対して、適切に対応できるため、動作上の不都合を生じることなく省電力化を図ることができると、されている。
【００１３】
【発明が解決しようとする課題】
しかしながら、図１（ａ）で示した電源回路を含む従来の電源回路においては、発振を停止させたトランスＴ１においても、抵抗Ｒ１および抵抗Ｒ２に電流が流れるととも、電源制御ＩＣ１０３にも電力が供給されるため、無駄な消費電力が依然として発生している。
【００１４】
図１（ｂ）で示した電源装置１０１ｂにおいては、２次側スイッチによってシステムの停止をするため、２次側から１次側の電源を制御する際には、マイコン１０１やフォトカプラＰＤ１等を動作させることが必要となり、消費電力が大きくなる。
【００１５】
この発明の目的は、省電力モードに移行の際のシステム停止時に行うべき後処理を確実に行いつつ、省電力モードにおける消費電力を効率的に減少させることが可能な電源装置を提供することである。
【００１６】
【課題を解決するための手段】
この発明は以下の構成を備えている。
【００１７】
（１）電化製品の動力源となる主電源回路および副電源回路を並列に備え、メインスイッチにより制御される商用電源から主電源回路および副電源回路への電力供給により、所定の値の電力を電化製品に供給するとともに、一定期間の経過を含む所定の条件により省電力モードに切り換わり主電源回路からの電力の供給を抑制または停止する電源装置において、
前記省電力モードに切り換わる際に前記主電源回路の発振停止に伴って自動的に商用電源から該主電源回路への電力の供給を断つように構成された、メインスイッチ以外の電力供給切換手段を備え、
前記電力供給切換手段は、商用電源および前記主電源の間を短絡または開放するＡＣ遮断回路と、該主電源回路の発振を停止させる発振停止回路と、発振停止回路を制御する制御回路と、前記副電源回路から電力を供給され該ＡＣ遮断回路の動作を制御するとともに前記制御回路に所定の信号を伝達する復帰／遮断回路と、を備えており、該ＡＣ遮断回路は、該復帰／遮断回路によって短絡または開放されるリレー接点と、該主電源回路の発振周波数の増加に伴って動作するトライアックと、を並列に配置したことを特徴とする。
【００１８】
この構成においては、省電力モードにおいてメインスイッチがオンにされた状態のままで、電力供給切換手段が主電源回路への電力の供給を遮断することから、従来の発振停止のみにより省電力化を図る構成に比較して、主電源回路内の抵抗等の各構成要素に流れる漏電流が生じなくなるため、省電力モードにおける消費電力がさらに減少する。
【００２０】
また、商用電源と主電源回路との間を短絡または開放する該ＡＣ遮断回路は、該復帰／遮断回路によって短絡または開放されるリレー接点と、該主電源回路の発振周波数の増加に伴って動作して商用電源および主電源回路の間を導通させるトライアックと、を並列に配置して構成されることから、電源回路の立ち上がりのみリレー接点を用いて主電源回路を動作させることにより、トライアックが動作を開始して、主電源回路が通常の動作状態に復帰する等、主電源回路の復帰動作がリレー接点を短絡させるという簡易な動作により実現するため、復帰動作時に必要となる電力が微小となり、省電力モードにおける消費電力がさらに減少する。
【００２１】
（２）前記リレー接点と直列に所定の抵抗値の制限抵抗手段を配置したことを特徴とする。
【００２２】
この構成においては、商用電力と主電源回路とを短絡するリレー接点と直列に所定の抵抗値の制限抵抗手段が配置されていることから、該リレー接点を介して流れる１次側平滑コンデンサの充電電流が所定の抵抗値の抵抗体で抑制されるため、該リレー接点に大きな電流が流れることを想定する必要がなくなり、リレー接点の小型化が図られる。
【００２３】
（３）前記制限抵抗手段は、所定の抵抗値の抵抗体と、該抵抗体の温度を感知する温度ヒューズと、を備えたことを特徴とする。
【００２４】
この構成においては、前記制限抵抗手段には、所定の抵抗値の抵抗体とともに、該抵抗体の温度を感知する温度ヒューズとが配置されていることから、該抵抗体が所定の温度以上になった場合には自動的に商用電源と主電源回路とが遮断されるため、例えば、前記リレー接点が溶着して動作しなくなり、過大電流が不意に流れ込むことがあっても、温度上昇に伴う発火等が防止され、電源装置の安全性が確保される。
【００２５】
（４）起動時から所定期間のみ前記リレー接点が短絡されるとともに、該所定期間経過後は、該リレー接点が開放され前記トライアックにより商用電源と主電源回路とが接続されることを特徴とする。
【００２６】
この構成においては、電源回路の起動時の所定の時間のみリレー接点により商用電源と主電源回路とを短絡し、主電源回路の発振周波数の増加に伴って前記トライアックが導通した後には、該トライアックを介して主電源回路への電力の供給が行われるため、通常動作状態から省電力モードに移行する際には該トライアックの動作のみを制御することで、商用電源から主電源回路への電力の供給が遮断される。
【００２７】
また、電源装置の通常動作時には、リレー接点の励磁が解除されていることから、消費電力の低減化が図られる。
【００２８】
（５）前記ＡＣ遮断回路は、発振停止回路により主電源回路の発振を停止させた後に、商用電源から該主電源回路への電力の供給を断つことを特徴とする。
【００２９】
この構成においては、主電源回路の発振が停止され、前記トライアックを介して流れる電流が十分に小さくなった後に、商用電源と主電源回路とが遮断されることから、該遮断の際に発生するノイズが低減される。
【００３０】
（６）前記ＡＣ遮断回路のトライアックの制御端子は、主電源回路に含まれる電源トランスに巻線された第１のコイル部と磁気結合されている第２のコイル部に接続されることを特徴とする。
【００３１】
この構成においては、トライアックの制御端子は、主電源回路の動作に伴って励磁される第２のコイル部に接続されていることから、主電源回路の発振周波数の低下により自動的にトライアックがオフになり商用電源と主電源回路とが遮断されるため、商用電源と主電源回路とを遮断する際に、フォトカプラ等を含む特段の制御回路が不要になり、電源装置の構成が簡易になるとともに、低コスト化が図られる。
【００３２】
また、トライアックの制御に巻線の起電力が利用されるため、静電気などのノイズに対して高度の動作安定性が保証される。
【００３３】
（７）前記ＡＣ遮断回路は、主電源回路の発振ノイズの商用電源への伝達を防止する主フィルタ回路と商用電源との間に位置することを特徴とする。
【００３４】
この構成においては、省電力モードで、主電源回路の発振ノイズの商用電源への伝達を防止する主フィルタ回路への電流の流れ込みが防止されることから、省電力モードにおいて該主フィルタ回路での電力の消費が防止されるため、さらに省電力化が図られる。
【００３５】
（８）前記制御回路は、主電源回路の発振の停止に関するすべての信号について、その出力のタイミングを決定することを特徴とする。
【００３６】
この構成においては、制御回路により、主電源回路の発振の停止に関するすべての信号を出力するタイミングが決定されることから、電源装置が省電力モードへと移行するタイミングが該制御回路により把握されるため、省電力モードへと移行する際に、該制御回路により必要となる後処理が確実に実行される。
【００３７】
【発明の実施の形態】
図２は、本発明の電源装置１の構成を示している。同図に示すように、電源装置１は、電源装置１が適用される電化製品の主な動作の動力源となる電力を生成する主電源回路１８、および主電源回路１８と並列に接続されて当該電化製品の動作を制御する回路の動力源となる電力を生成する副電源回路１２を搭載しており、制御回路２をはじめとする複数の構成要素により、主電源回路１８および副電源回路１２の動作を制御している。
【００３８】
この構成要素の中には、商用電源から主電源回路１８への電力の供給を制御するＡＣ遮断回路１４と、いわゆる省電力モードにおいて主電源回路１８の発振を停止させる発振停止回路６と、主電源回路１８からの電力の供給により動作し、例えば、発振停止回路６の動作を制御する制御回路２と、当該電化製品の通常動作モードから省電力モードへの移行や、省電力モードから通常動作への移行を行う復帰／遮断回路１３と、ノイズの低減を行うフィルタ回路（１１、１７）と、が含まれている。
【００３９】
ＡＣ遮断回路１４は、主電源回路１８への電力の供給の制御を行う手段を２つ備えている。一方は、制限抵抗ＲＨ１と直列に接続されたリレーコイル１６であり、他方は、制御端子へ入力される信号により、その導通状態が制御されるトライアック２１である。そして、リレーコイル１６とトライアック２１とは並列に配置されており、その動作の詳細については後述する。
【００４０】
発振停止回路６は、制御回路からの信号により導通するトランジスタＱ３と、トランジスタＱ３の導通により電流が流れる発光ダイオード２７と、該発光ダイオード２７からの光を受光することにより導通するフォトトランジスタ２８とを備えている。この構成により、制御回路２が発振を停止すべき旨の信号を出力したときに、この信号を主電源回路１８の制御ＩＣ４へと伝達する役割を果たす。
【００４１】
制御回路２は、待機スイッチ検出部２２、発振停止信号出力部２３、電力維持信号出力部２６、およびＣＰＵ３を備えている。また、復帰／遮断回路１３は、電源装置の動作状態を変更する待機スイッチＳＷ１を備えており、主としてリレーコイル１５によりリレー接点の短絡／開放の制御を行う。
【００４２】
図３および図４は、本発明の電源装置の動作を示すタイミングチャートである。電源装置１のいわゆる起動から省電力モードに移行するまでの動作を説明する。メインスイッチ５がオンされると電源装置１に商用電源の供給を開始する。このとき、まず、副フィルタ回路１１を介して副電源回路１２に電力が供給され、副電源回路１２の２次側出力に電圧が発生する。
【００４３】
副電源回路１２の２次側出力は、復帰／遮断回路１３に接続されており、復帰／遮断回路１３は、抵抗Ｒ１を介してＡＣ遮断回路１４のリレーコイル１５に接続されている。また、リレーコイル１５における復帰／遮断回路１３との反対側は、トランジスタＱ１のエミッタに接続されている。
【００４４】
副電源回路１２の２次側出力に電圧が発生した直後は、コンデンサＣ１には電荷が蓄えられていないため、トランジスタＱ１のベースの電位はローレベルとなり、トランジスタＱ１は導通する。これにより、ＡＣ遮断回路１４のリレーコイル１５が励磁され、リレー接点１６が短絡するため、ＡＣ遮断回路１４が主電源回路１８への電力供給を遮断しなくなる。このため、商用電源から主フィルタ回路１７を介して主電力回路１８に電力が供給される。主電源回路１８に電力が供給されると、主電源回路１８の発振が開始されるとともに、主電源回路１８の２次側出力に電圧が発生する。
【００４５】
一方、主電源回路１８の発振が開始されることにより、主巻線１９に電圧が発生するが、このとき、主巻線１９と補助巻線２０とが磁気結合するため、補助巻線２０にも電圧が発生する。これにより、補助巻線２０に接続されるトライアック２１のベースに所定の電位が発生するため、トライアック２１が導通して、トライアック２１を介して商用電源から主電源回路１８への電力の供給が維持されるようになる。
【００４６】
ここで、主電源回路１８の平滑用コンデンサＣ２に流れる充電電流が必要以上に大きくなることを考慮して、主電源回路１８への電力供給のトリガとなるリレー接点１６には、制限抵抗ＲＨ１が直列に接続されている。このとき、制限抵抗ＲＨ１の抵抗値は、大きな抵抗値にすることが可能であるため、リレー接点１６を流れる電流を抑制でき、リレー接点１６の小型化を図ることができるとともに、装置の安全を図ることができる。
【００４７】
これは、制限抵抗ＲＨ１の抵抗値を大きくした場合であっても、主電源回路１８の発振が開始された後は、商用電源からトライアック２１を介して主電源回路に電流が流れ込み、リレー接点１６には電流が流れ込まなくなるために、制限抵抗ＲＨ１およびリレー接点１６において継続して不必要な電力の消費が生じることはなく、制限抵抗ＲＨ１の抵抗値を低く抑える必要がないからである。
【００４８】
なお、このとき、トライアック２１が故障等して機能しない場合には、商用電源からリレー接点１６を介して主電源回路１８に電流が流れるが、このような事態を想定して制限抵抗ＲＨ１に温度ヒューズ等を内蔵させることにより、電源装置１の安全性がさらに向上する。
【００４９】
ここで、トランジスタＱ１は、電源装置１を起動時には導通しているが、その後、コンデンサＣ１に電荷が蓄積されていき、その電位が高くなりトランジスタＱ１のベース電位がローレベルからハイレベルに移行すると、導通しなくなる。すなわち、トランジスタＱ１はオフの状態になる。そして、トランジスタＱ１がオフになると、復帰／遮断回路１３により、リレーコイル１５の励磁が解除されるため、リレー接点１６は、短絡状態から開放状態に移行する。つまり、リレー接点１６は、電源装置１を起動してから、コンデンサＣ１に電荷が蓄積されて所定の電位になるまでの間だけ、短絡した状態になるのである。
【００５０】
次に、電源装置のいわゆる省電力モード時の動作を説明する。電源装置１を省電力モードに移行させる場合には、オペレータにより待機スイッチＳＷ１が一時的に短絡されることになる。待機スイッチＳＷ１が押された場合、トランジスタＱ２のベースの電位がローレベルになるためトランジスタＱ２が導通する。これにより、制御回路２内の待機ＳＷ検出部２２の電位がローレベルになるが、制御回路２内のＣＰＵ３が、このローレベルの信号を検出すると、トランジスタＱ３のベースと接続された待機信号出力部２３からトランジスタＱ３を導通させる待機信号を出力する。
【００５１】
これにより、フォトカプラＰＤ１のダイオードに電流が流れるため、主電源回路１８の電源制御ＩＣ４に、制御回路２内のＣＰＵ３が出力した待機信号が伝達し、主電源回路１８の発振が停止する。
【００５２】
主電源回路１８の発振が停止したことを受けて、主巻線１９と磁気結合されている補助巻線２０の電位がなくなるため、トライアック２１が動作しなくなり、商用電源と主電源回路１８とが遮断され、主電源回路１８への電源の供給がされなくなる。なお、上述の発振停止処理は、一度商用電源と主電源回路１８とが遮断されると終了する。よって、主電源回路１８に再度電源が供給されたときには、ただちに発振を開始することになる。
【００５３】
以上の省電力モードへ移行する動作は、オペレータが待機スイッチを押すことによってのみではなく、待機時間の経過に伴うタイマ管理を制御回路２のＣＰＵ３によって行い、この待機時間が所定の設定値以上になると、ＣＰＵ３が自発的に前記待機信号を出力するようにしてもよい。
【００５４】
ここで、重要なことは、上述の省電力モードへの移行の動作は、オペレータが省電力モードの要求を行いＣＰＵ３がこの要求を検出することにより省電力モードへ移行させたり、前記タイマ管理によりＣＰＵ３が自発的に省電力モードへ移行させる等、必ずＣＰＵ３によって待機信号が出されることにより省電力モードへ移行すること、すなわち、省電力モードへの移行には、必ずＣＰＵ３が介在していることである。
【００５５】
よって、常にＣＰＵ３は、省電力モードに移行するタイミングを把握することができるため、省電力モードに移行する前に行うべき処理を予め設定しておくことにより、行うべき処理が完了したことを確認した上で省電力モードに移行することができるのである。例えば、インクジェットプリンタにおいては、省電力モード信号を出力する前に、インクヘッドのキャッピング処理等の後処理を終了させた後、省電力モードへ移行するように設定することができる。
【００５６】
一方で、省電力モードから通常動作モードへの復帰においても、待機スイッチＳＷ１が使用される。ここで、コンデンサＣ１に電荷が蓄えられていることから、待機スイッチＳＷ１が短絡されると、リレーコイル１５には一時的に電流が流れる。この電流によりリレーコイル１５が励磁されるため、リレー接点１６が短絡して商用電源から主電源回路１８への電力の供給が再開される。これにより、上述と同様に主電源回路の発振周波数が増加していき、トライアック２１が導通して、主電源回路が通常動作への移行が完了する。
【００５７】
ただし、以上のような回路方式で、装置のシステムを停止させるべく、オペレータが、省電力モードへの移行を行ったとしても、副電源には依然として電力供給がされている。オペレータがシステムを停止される場合は、装置を完全に停止させる場合が多く、通常、装置の自動復帰を期待していることは極めて少ない。
【００５８】
このため、本発明の電源装置１は、オペレータによって、省電力モードへ移行させるか、システムを完全に停止させるかのいずれかを任意に選択できるようにしている。つまり、電源装置１はＡＣ遮断回路１４よりも商用電源側に、メインスイッチ５を備えている。この結果、オペレータがメインスイッチ５をオフすることにより、電源装置１に対するすべての電力供給を遮断するように操作することが可能である。
【００５９】
なお、メインスイッチ５は、両切用の２つの接点が連動して動作するものを使用する。メインスイッチ５の前段には主電源回路１８または副電源回路１２のそれぞれを整流後の平滑コンデンサＣ２またはＣ３の充電電流を抑制するために、制限抵抗ＲＨ２が配置されている。
【００６０】
メインスイッチ５のうちで制限抵抗ＲＨ２と直列に接続されるスイッチに並列して、リレー接点２４およびリレーコイル２５が設けられている。リレーコイル２５は、電源装置１が通常動作を行っている時に、メインスイッチ５に代わって商用電源と主電源回路１８との接続を維持する役割を果たすものであるが、その詳細は後述する。
【００６１】
ここで、メインスイッチ５と並列に接続されたリレー接点２４、およびリレーコイル２５の動作を説明する。上述したように、メインスイッチ５が、オペレータにより、開放状態から短絡状態に移行すると、副電源回路１２から主電源回路１８の順序で電力供給が開始される。主電源回路１８から電力を供給されている制御回路２のＣＰＵ３により、電力維持信号出力部２６から電力維持信号が出力され、トランジスタＱ４が導通すると、主電源回路１８の出力から抵抗Ｒ２を介して、リレーコイル２５に電流が流れ、リレー接点２４が短絡状態となる。
【００６２】
通常、制限抵抗ＲＨ２およびメインスイッチ５と並列に接続されたリレー接点２４を介して電流が流れるため、制限抵抗ＲＨ２およびメインスイッチ５には、メインスイッチ５の接点が開放状態から短絡状態になったときのみ電流が流れることになる。したがって、制限抵抗ＲＨ１と同様に、原則的に制限抵抗ＲＨ２に常時電流が流れることを想定しなくてもよいことから、消費電力を気にすることなく、制限抵抗ＲＨ２の抵抗値の大きくすることが可能となり、電源装置１の安全性を高めることができる。
【００６３】
なお、この場合においても、故障等によりリレー接点２４が短絡状態にならない等の不測の事態を想定して、制限抵抗ＲＨ２に温度ヒューズ等を内蔵すれば、さらに、電源装置１の安全性を向上させることができる。
【００６４】
次に、メインスイッチ５が短絡状態から開放状態となった場合を説明する。メインスイッチ５が開放状態になった時点では、上述のように、主電源回路１８の電力供給は、リレー接点２４により維持されているが、副電源回路１２の電力は遮断されており、これに伴って副電源回路１２の出力は停止されている。
【００６５】
副電源回路１２の出力が停止することで、トランジスタＱ２のベース電位が下がり、トランジスタＱ２が導通するため、省電力モードに移行する時と同様に制御回路２のＣＰＵ３が、待機スイッチ検出部２２にローレベルの信号が入力されたことを検出する。そして、上述と同様にローレベルの信号の検出をトリガとして、ＣＰＵ３は所定の後処理を行うとともに、この後処理が完了するのを待って、待機信号を出力する。
【００６６】
ＣＰＵ３により待機信号が出力された後には、主電源回路１８の発振停止、トライアック２１の停止、主電源回路１８の出力停止、リレーコイル２５の解除、リレー接点２４の開放の順序で処理が進行していき、すべての処理が完了すると電源装置１の全電力が遮断される。
【００６７】
なお、上述のように、システムを停止させる際に必要な後処理を終了させることは、オペレータにより、メインスイッチ５を短絡状態から開放状態にした場合にも必要である。
【００６８】
ここで、メインスイッチ５は、両切用の機械接点を２つ備えているが、一方の接点が主電源回路１８および副電源回路１２の両方に接続される電力ラインに、他方の接点が副電源回路１２のみの接続される電力ラインにそれぞれ接続されている。さらに、主電源回路１８および副電源回路１２の両方の電力ラインに接続されたスイッチの接点と並列にリレー接点２４を設けられているため、このリレー接点２４が短絡状態であるときには、メインスイッチ５を開放状態にしても、主電源回路１８への電力供給は維持されることになる。これにより、不意にメインスイッチがオフになることがあっても、ＣＰＵ３は所定の後処理を行うとともに、この後処理が完了するのを待って、主電源回路１８の発振を停止させるため、電源がオフされる前に必要な後処理を確実に行うことが可能になる。
【００６９】
【発明の効果】
以上のように、この発明によれば、以下の効果を奏することができる。
【００７０】
（１）省電力モードにおいてメインスイッチがオンにされた状態のままで、電力供給切換手段が主電源回路への電力の供給を遮断することから、従来の発振停止のみにより省電力化を図る構成に比較して、主電源回路内の抵抗等の各構成要素に流れる漏電流の発生を防止することができるため、省電力モードにおける消費電力をさらに減少させることができる。
【００７１】
（２）商用電源と主電源回路との間を短絡または開放する該ＡＣ遮断回路を、該復帰／遮断回路によって短絡または開放されるリレー接点と、該主電源回路の発振周波数の増加に伴って動作して商用電源および主電源回路の間を導通させるトライアックと、を並列に配置して構成したことから、電源回路の立ち上がりのみリレー接点を用いて主電源回路を動作させることにより、トライアックが動作を開始して、主電源回路が通常の動作状態に復帰する等、主電源回路の復帰動作をリレー接点を短絡させるという簡易な動作により実現できるため、復帰動作時に必要となる電力を微小にすることができ、省電力モードにおける消費電力をさらに減少させることができる。
【００７２】
（３）商用電力と主電源回路とを短絡するリレー接点と直列に所定の抵抗値の制限抵抗手段を配置したことから、該リレー接点を介して流れる１次側平滑コンデンサの充電電流を所定の抵抗値の抵抗体で抑制できるため、該リレー接点に大きな電流が流れることを想定する必要がなくなり、リレー接点の小型化を図ることができる。
【００７３】
（４）前記制限抵抗手段に、所定の抵抗値の抵抗体とともに、該抵抗体の温度を感知する温度ヒューズとを配置したことから、該抵抗体が所定の温度以上になった場合には自動的に商用電源と主電源回路とを遮断できるため、例えば、前記リレー接点の溶着して動作しなくなり、過大電流が不意に流れ込むことがあっても、温度上昇に伴う発火等を防止でき、電源装置の安全性を確保することができる。
【００７４】
（５）電源回路の起動時の所定の時間のみリレー接点により商用電源と主電源回路とを短絡し、主電源回路の発振周波数の増加に伴って前記トライアックが導通した後には、該トライアックを介して主電源回路への電力の供給を行うため、通常動作状態から省電力モードに移行する際には該トライアックの動作のみを制御することで、商用電源から主電源回路への電力の供給を遮断することができる。
【００７５】
また、電源装置の通常動作時には、リレー接点の励磁を解除することから、消費電力の低減化を図ることができる。
【００７６】
（６）主電源回路の発振を停止し、前記トライアックを介して流れる電流が十分に小さくなった後に、商用電源と主電源回路とを遮断することから、該遮断の際に発生するノイズを低減することができる。
【００７７】
（７）トライアックの制御端子は、主電源回路の動作に伴って励磁される第２のコイル部に接続されていることから、主電源回路の発振周波数の低下により自動的にトライアックをオフにして商用電源と主電源回路とを遮断できるため、商用電源と主電源回路とを遮断する際に、フォトカプラ等を含む特段の制御回路を不要にすることができ、電源装置の構成を簡易にすることができるとともに、低コスト化を図ることができる。
【００７８】
また、トライアックの制御に巻線の起電力を利用するようにしているため、静電気などのノイズに対して高度の動作安定性を保証することができる。
【００７９】
（８）省電力モードで、主電源回路の発振ノイズの商用電源への伝達を防止する主フィルタ回路へ電流が流れ込むことを防止できることから、省電力モードにおいて該主フィルタ回路での電力の消費を防止し、さらに省電力化を図ることができる。
【００８０】
（９）制御回路により、主電源回路の発振の停止に関するすべての信号を出力するタイミングを決定することから、電源装置が省電力モードへと移行するタイミングを該制御回路により把握することができ、省電力モードへと移行する際に、該制御回路により必要となる後処理を確実に実行することができる。
【００８１】
よって、省電力モードに移行の際のシステム停止時に行うべき後処理を確実に行いつつ、省電力モードにおける消費電力を効率的に減少させることが可能な電源装置を提供することができる。
【図面の簡単な説明】
【図１】従来の電源装置の構成を示す図である。
【図２】本発明の電源装置の構成を示す図である。
【図３】本発明の電源装置の動作を示すタイミングチャートである。
【図４】本発明の電源装置の動作を示すタイミングチャートである。
【符号の説明】
１−電源装置
２−制御回路
３−ＣＰＵ
４−制御ＩＣ
５−メインスイッチ
６−発振停止回路
１２−副電源回路
１５−リレーコイル
１８−主電源回路
２１−トライアック
１００（１００ａ、１００ｂ）−電源装置
【図１】
0003904941.tif 000002
【図２】
0003904941.tif 000003
【図３】
0003904941.tif 000004
【図４】
0003904941.tif 000005